(57)【要約】      （修正有）【課題】ねじ棒が伸縮管の長さを調節して同期に移動することができ、高枝切り鋏長さの無段調節を実現する高枝切り鋏構造を提供する。【解決手段】伸縮管と、刃物セットと、制御ユニットと、調節連動機構と、を備える。伸縮管がくり抜き部を有し、刃物セットと、制御ユニットをそれぞれ伸縮管の両端に設け、調節連動機構を伸縮管のくり抜き部に貫いて、刃物セットと、制御ユニットとの間に組み付けて連動させる。調節連動機構４０はパイプシート４１を含む、パイプシートの内部に誘導部材４２と、連動具４３を組み付け、誘導部材と連動具が互いに樞接し、パイプシートにねじ棒４４が貫いていて、ねじ棒に複数の無段掛け合い溝４４１が設けられ、ねじ棒の一端が刃物セットと連動する。また、パイプシートは動作連稈４６に貫かれ、動作連稈の一端は連動具と枢接し、他端は制御ユニットにつながれる。【選択図】図５
0003214896.tif 000002
【実用新案登録請求の範囲】
【請求項１】
高枝切り鋏構造であって、
伸縮管と、刃物セット、制御ユニットと、調節連動機構とを備え、
前記伸縮管は中空部を有し、前記刃物セットと、前記制御ユニットをそれぞれ前記伸縮管の両端につなぎ、前記制御ユニットはつかみ部と、スイッチ部とを含む、前記調節連動機構を前記伸縮管のくり抜き部に貫いて、前記刃物セットと、前記制御ユニットとの間に組み付けて連動させ、前記調節連動機構は、パイプシートと、誘導部材と、連動具と、ねじ棒と、弾性素子と、動作連稈と、を含む、
前記パイプシートが円柱状を形成して、前記伸縮管の前記くり抜き部に装着していて、前記刃物セットに対応する第１端と、前記制御ユニットに対応する第２端とを有し、前記第１端と、前記第２端との間に収容空間と連絡する滑り面を設け、前記第１端より前記収容空間と、前記第２端を貫く第１経路を設け、前記第２端より前記収容空間を貫く第２経路を設け、
前記誘導部材が前記伸縮管の軸方向にそって、摺動自在に前記パイプシートの前記すべり面と、前記収容空間に設け、
前記連動具を前記パイプシートの前記収容空間に収容され、前記連動具に前記制御ユニットの遠端に第１枢接部と、第２枢接部とを対向するように設け、前記第２枢接部が前記誘導部材と枢接し、前記連動具が前記誘導部材に対応する一面に前記伸縮管の軸方向に沿って延在する溝を設け、前記溝が前記制御ユニットに対応する一端の一面に係着部を形成し、
前記ねじ棒が丸い棒状を形成し、前記ねじ棒に複数の掛け合い溝を設け、前記ねじ棒の一端を前記刃物セットに連動し、前記ねじ棒の他端を前記パイプシートの前記第１経路と、前記連動具の前記溝を貫く、
前記弾性素子を前記パイプシートの前記収容空間に内設して、前記誘導部材と、前記収容空間が前記制御ユニットに対応する一端の表面弾性に圧迫し、
前記動作連稈の一端と前記制御ユニットの前記スイッチ部とつなぎ、他端を前記パイプシートの前記第２経路と、前記収容空間の間につないで、前記連動具の前記第１枢接部と枢接することを特徴とする、高枝切り鋏構造。
【請求項２】
前記パイプシートは前記第２端より、前記収容空間を貫く第３経路を設け、前記誘導部材が前記制御ユニットに対応する一端にガイドバーを設け、前記ガイドバーを前記第３経路に貫くことを特徴とする、請求項１記載の高枝切り鋏構造。
【請求項３】
前記調節連動機構が固定棒を更に含む、前記固定棒の一端が前記制御ユニットの前記つかみ部に固定し、他端を前記パイプシートに挿入して固定することを特徴とする、請求項１記載の高枝切り鋏構造。
【考案の詳細な説明】
【技術分野】
【０００１】
本考案は園芸の剪定工具に関し、特に高所の枝剪定作業に用いる高枝切り鋏構造に関する。
【背景技術】
【０００２】
一般として、枝や背の高い植物または果樹を剪定する場合は、高枝切り鋏を用いて行われる。さらに、それぞれの高さに適用するため、高枝切り鋏の殆どは、長さ調節機能を有する。
【０００３】
図１ないし３、公知の長さ調節機能を有する高枝切り鋏を参照する。高枝切り鋏の伸縮管９０に設ける調節連動機構は、台座９１と、移動軸９２と、固定具９３を含む。台座９１が上向きのくり抜き状を形成しており、台座９１は前方側壁９１１と、後方側壁９１２を有し、係る前方、後方側壁９１１、９１２は、溝９１３をそれぞれ開けられ、２つの溝９１３が対向していて、溝９１３の底面に支持面９１４をそれぞれ形成する。固定具９３を台座９１に蓋閉めていて、かつ、横方向に複数の掛け棒９３１横設し、台座９１と、固定具９３との間に複数の弾性素子９４を設ける。移動軸９２が２つの溝９１３を貫いて、支持面９１４にまたがるように設け、移動軸９２が複数の掛け棒９３１に対応して、複数の上向き状の切り欠き９２１を設けて、掛け棒９３１の係着に提供する。固定具９３が下方に押さえられたとき、掛け棒９３１が切り欠き９２１にはめ込み、移動軸９２は固定される。そして、固定具９３が圧迫されていないときは、弾性素子９４によって上方に押し込み、掛け棒９３１が切り欠き９２１を離れて、移動軸９２が自在に移動できる。移動軸９２に設けられた複数の切り欠き９２１によって、高枝切り鋏を段階的に調節して、長さ伸縮可能な機構を形成する。
【考案の概要】
【考案が解決しようとする課題】
【０００４】
しかし、公知の高枝切り鋏の長さを調節するときは、移動軸９２に設けられた切り欠き９２１によって固定される。構造強度を維持しなければならないことから、移動軸９２１で設置可能な切り欠き９２１数は限られている。よって、使用者は適切な長さに調節できないか、または掛け棒９３１を確実に切り欠き９２１に固定できないことがしばしば発生する。
【課題を解決するための手段】
【０００５】
本考案の高枝切り鋏構造は、伸縮管と、刃物セットと、制御ユニットと、調節連動機構と、を備える。伸縮管がくり抜き部を有し、刃物セットと、制御ユニットをそれぞれ伸縮管の両端に取り付け、制御ユニットはつかみ部と、スイッチ部とを含む、調節連動機構が伸縮管のくり抜き部を貫いて、刃物セットと、制御ユニットとの間に組み付けて連動する。調節連動機構は、パイプシートと、誘導部材と、連動具と、ねじ棒と、弾性素子と、動作連稈とを含む。係るパイプシートが円柱状を形成して、伸縮棒のくり抜き部に嵌め込んで固定し、刃物セットに対応する第１端と、制御ユニットに対応する第２端を有し、第１端と、第２端との間に収容空間を設け、第１端と、収容空間との間は収容空間に連絡するすべり面を設け、第１端より収容空間と第２端を貫く第１経路と、第２端より収容空間を貫く第２経路と設ける。係る誘導部材を伸縮管の軸方向で摺動自在にパイプシートのすべり面と、収容空間に設ける。係る連動具をパイプシートの収容空間に収容し、連動具が制御ユニットの遠端に第１枢接部と、第２枢接部を対向するように設け、第２枢接部と誘導部材を枢接し、連動具は、誘導部材に対応する面は、伸縮管の軸方向に延在する溝を設け、溝が制御ユニットに対応する一端に係着部を形成する。係るねじ棒が丸い棒状を形成しており、ねじ棒に複数の無段掛け合い溝を設け、ねじ棒の一端が刃物セットに連動し、ねじ棒の他端がパイプシートの第１経路と、連動具の溝を貫く、弾性素子をパイプシートの収容空間に収容して、誘導部材と、収容空間が制御ユニットに対応する一端の表面を圧迫する。係る動作連稈の一端を制御ユニットのスイッチ部につなぎ、他端がパイプシートの第２経路と、収容空間を貫いて、連動具の第１枢接部と枢接する。係る弾性素子をパイプシートの収容空間に収容して、パイプシートと、収容空間が制御ユニットに対応する一端の表面にて弾性に圧迫する。係る動作連稈の一端を制御ユニットのスイッチ部につなぎ，他端がパイプシートの第２経路と、収容空間を貫いて、連動具の第１枢接部と枢接する。
【０００６】
本考案の主な目的は、使用者が高枝切り鋏を使用するときに、高枝切り鋏の長さを無段階に調節できるように提供する。
本考案のもう一つの目的は、高枝切り鋏の長さ調整のときに、直接に伸縮管を調節でき、スイッチを操作する必要はない。
【考案の効果】
【０００７】
以下に示す具体的な実施例の構造より、本考案に以下の効果を有することが分かる。
【０００８】
１．    本考案適用し、使用者が高枝切り鋏を用いて剪定作業するとき、高枝切り鋏の長さを無段階に調節することができ、実用性が向上される。
【０００９】
２．    本考案の高枝切り鋏の長さ調整に、直接に伸縮管を調節してねじ棒を連動させれば良い、スイッチを操作する必要はない。
【図面の簡単な説明】
【００１０】
【図１】公知の高枝切り鋏の調節連動機構に係る分解図である。
【図２】公知の高枝切り鋏通常状態の局所断面図である。
【図３】公知の高枝切り鋏の長さ調節を示す局所断面図である。
【図４】本考案の外観図である。
【図５】本考案の調節連動機構の分解図である。
【図６】本考案の調節連動機構の断面図である。
【図７】本考案の高枝切り鋏の長さ調整を示す動作断面図である。
【図８】本考案の高枝切り鋏の剪定連動の断面図である。
【図９】本考案の高枝切り鋏の剪定連動の立体図である。
【考案を実施するための形態】
【実施例】
【００１１】
図４ないし６に示すように、本考案の高枝切り鋏構造は、伸縮管１０と、刃物セット２０と、制御ユニット３０と、調節連動機構４０と、を備える。伸縮管１０がくり抜き部１１を有し、刃物セット２０と、制御ユニット３０を伸縮管１０の両端にそれぞれ設ける。制御ユニット３０は、つかみ部３１と、スイッチ部３２と、を含む。調節連動機構４０を伸縮管１０のくり抜き部１１に貫いて、刃物セット２０と、制御ユニット３０との間に組み付けて連動させ、調節連動機構４０は、パイプシート４１と、誘導部材４２と、連動具４３と、ねじ棒４４と、弾性素子４５と、動作連稈４６と、固定棒４７と、を含む。
【００１２】
パイプシート４１が円柱状を形成して、伸縮管１０のくり抜き部１１に嵌め込み、刃物セット２０に対応する第１端４１１と、制御ユニット３０に対応する第２端４１２とを有し、第１端４１１と、第２端４１２との間に収容空間４１３と連絡する滑り面４１４と、第１端４１１より収容空間４１３と、第２端４１２を貫く第１経路４１５と、第２端４１２より収容空間４１３を貫く第２経路４１６と、収容空間４１３を貫く第３経路４１７と、を含む。
【００１３】
誘導部材４２を伸縮管１０の軸方向に沿って摺動自在に、パイプシート４１のすべり面４１４と、収容空間４１３に取り付け、誘導部材４２が制御ユニット３０に対応する一端をガイドバー４２１につなぎ、ガイドバー４２１をパイプシート４１の第３経路４１７に貫く。
【００１４】
連動具４３をパイプシート４１の収容空間４１３に収容され、連動具４３が制御ユニット３０の遠端に第１枢接部４３１と、第２枢接部４３２とを対向するように設け、第２枢接部４３２が誘導部材４２と枢接し、連動具４３が誘導部材４２に対応する一面に伸縮管１０の軸方向に沿って延在する逆Ｕ字溝４３３を設け、溝４３３が制御ユニット３０に対応する一端の一面に係着部４３４を形成する。
【００１５】
ねじ棒４４が丸い棒状を形成し、ねじ棒４４に複数の掛け合い溝４４１を設け、ねじ棒４４の一端を刃物セット２０に連動し、ねじ棒４４の他端をパイプシート４１の第１経路４１５と、連動具４３の溝４３３に貫く。
【００１６】
弾性素子４５をパイプシート４１の収容空間４１３に内設して、誘導部材４２と、収容空間４１３が制御ユニット３０に対応する一端の表面を弾性に圧迫する。
【００１７】
動作連稈４６の一端を制御ユニット３０のスイッチ部３２とつなぎ、他端をパイプシート４１の第２経路４１６と、収容空間４１３の間につないで、連動具４３の第１枢接部４３１と枢接する。
【００１８】
固定棒４７の一端を制御ユニット３０のつかみ部３１に固定し、他端をパイプシート４１に挿入するように取り付けて、パイプシート４１を固定させる。
【００１９】
本考案高枝切り鋏を適用した場合は、図７に示すように、伸縮棒１０を用いて、高枝切り鋏の長さを調節する。調節する際は、刃物セット２０がねじ棒４４を連動して共に移動し、ねじ棒４４をパイプシート４１の第１経路４１５と、連動具４３の溝４３３にて摺動させて、高枝切り鋏の長さ調整を無段階に行う目的が達成される。
【００２０】
本考案の高枝切り鋏を用いて剪定作業のときは、図８と図９に示すように、制御ユニット３０のスイッチ部３２を押して、スイッチ部３２によって動作連稈４６を制御ユニット３０の方向に移動させ、動作連稈４６が連動具４３の第１枢接部４３１を牽引し、連動具４３が第２枢接部４３２を軸心として、所定の角度を枢転し、連動具４３の係着部４３４をねじ棒４４の掛け合い溝４４１に掛け合って、連動具４３によって、ねじ棒４４を牽引し、制御ユニット３０の方向に移動させ、弾性素子４５が連動具４３の圧迫を受けて、ねじ棒４４によって刃物セット２０を連動して剪定作業が行われる。そして、制御ユニット３０のスイッチ部３２を手放すと、弾性素子４５の弾性伸長により、連動具４３と、ねじ棒４４を元の位置に戻される。
【符号の説明】
【００２１】
（公知技術）
９０    伸縮管
９１    台座
９１１  前方側壁
９１２  後方側壁
９１３  溝
９１４  支持面
９２    移動軸
９２１  切欠き
９３    固定具
９３１  掛け棒
９４    弾性素子
（本考案）
１０    伸縮管
１１    くり抜き部
２０    刃物セット
３０    制御ユニット
３１    つかみ部
３２    スイッチ部
４０    調節連動機構
４１    パイプシート
４１１  第１端
４１２  第２端
４１３  収容空間
４１４  滑り面
４１５  第１経路
４１６  第２経路
４１７  第３経路
４２    誘導部材
４２１  ガイドバー
４３    連動具
４３１  第１枢接部
４３２  第２枢接部
４３３  溝
４３４  係着部
４４    ねじ棒
４４１  掛け合い溝
４５    弾性素子
４６    動作連稈
４７    固定棒
【図１】
0003214896.tif 000003
【図２】
0003214896.tif 000004
【図３】
0003214896.tif 000005
【図４】
0003214896.tif 000006
【図５】
0003214896.tif 000007
【図６】
0003214896.tif 000008
【図７】
0003214896.tif 000009
【図８】
0003214896.tif 000010
【図９】
0003214896.tif 000011
【手続補正書】
【提出日】平成29年12月6日(2017.12.6)
【手続補正１】
【補正対象書類名】実用新案登録請求の範囲
【補正対象項目名】全文
【補正方法】変更
【補正の内容】
【実用新案登録請求の範囲】
【請求項１】
高枝切り鋏構造であって、
伸縮管と、刃物セット、制御ユニットと、調節連動機構とを備え、
前記伸縮管はくり抜き部を有し、前記刃物セットと、前記制御ユニットをそれぞれ前記伸縮管の両端につなぎ、前記制御ユニットはつかみ部と、スイッチ部とを含み、
前記調節連動機構を前記伸縮管のくり抜き部に貫いて、前記刃物セットと、前記制御ユニットとの間に組み付けて連動させ、前記調節連動機構は、パイプシートと、誘導部材と、連動具と、ねじ棒と、弾性素子と、動作連稈とを含み、
前記パイプシートが円柱状を形成して、前記伸縮管の前記くり抜き部に装着していて、前記刃物セットに対応する第１端と、前記制御ユニットに対応する第２端とを有し、前記第１端と、前記第２端との間に収容空間と連絡する滑り面を設け、前記第１端より前記収容空間と、前記第２端を貫く第１経路を設け、前記第２端より前記収容空間を貫く第２経路を設け、
前記誘導部材を前記伸縮管の軸方向にそって、摺動自在に前記パイプシートの前記すべり面と、前記収容空間に設け、
前記連動具が前記パイプシートの前記収容空間に収容され、前記連動具が前記制御ユニットの遠端に第１枢接部と、第２枢接部とを対向するように設け、前記第２枢接部が前記誘導部材と枢接し、前記連動具が前記誘導部材に対応する一面に前記伸縮管の軸方向に沿って延在する溝を設け、前記溝が前記制御ユニットに対応する一端の一面に係着部を形成し、
前記ねじ棒が丸い棒状を形成し、前記ねじ棒に複数の掛け合い溝を設け、前記ねじ棒の一端を前記刃物セットに連動し、前記ねじ棒の他端は前記パイプシートの前記第１経路と、前記連動具の前記溝を貫き、
前記弾性素子を前記パイプシートの前記収容空間に内設して、前記誘導部材と、前記収容空間が前記制御ユニットに対応する一端の表面を弾性に圧迫し、
前記動作連稈の一端と前記制御ユニットの前記スイッチ部とつなぎ、他端を前記パイプシートの前記第２経路と、前記収容空間の間につないで、前記連動具の前記第１枢接部と枢接することを特徴とする、高枝切り鋏構造。
【請求項２】
前記パイプシートは前記第２端より、前記収容空間を貫く第３経路を設け、前記誘導部材が前記制御ユニットに対応する一端にガイドバーを設け、前記ガイドバーを前記第３経路に貫くことを特徴とする、請求項１記載の高枝切り鋏構造。
【請求項３】
前記調節連動機構が固定棒を更に含み、前記固定棒の一端が前記制御ユニットの前記つかみ部に固定し、他端を前記パイプシートに挿入して固定することを特徴とする、請求項１記載の高枝切り鋏構造。
【手続補正２】
【補正対象書類名】明細書
【補正対象項目名】０００５
【補正方法】変更
【補正の内容】
【０００５】
本考案の高枝切り鋏構造は、伸縮管と、刃物セット、制御ユニットと、調節連動機構と、を備える。伸縮管がくり抜き部を有し、刃物セットと、制御ユニットをそれぞれ伸縮管の両端に取り付け、制御ユニットはつかみ部と、スイッチ部とを含み、調節連動機構が伸縮管のくり抜き部に貫いて、刃物セットと、制御ユニットとの間に組み付けて連動する。調節連動機構は、パイプシートと、誘導部材と、連動具と、ねじ棒と、弾性素子と、動作連稈と、を含む。係るパイプシートが円柱状を形成して、伸縮管のくり抜き部に嵌め込んで固定し、刃物セットに対応する第１端と、制御ユニットに対応する第２端とを有し、第１端と、第２端との間に収容空間を設け、第１端と、収容空間との間は収容空間に連絡するすべり面を設け、第１端より収容空間と第２端を貫く第１経路と、第２端より収容空間を貫く第２経路を設ける。係る誘導部材を伸縮管の軸方向で摺動自在にパイプシートのすべり面と、収容空間に設ける。係る連動具をパイプシートの収容空間に収容し、連動具が制御ユニットの遠端に第１枢接部と、第２枢接部を対向するように設け、第２枢接部が誘導部材と枢接し、連動具は、誘導部材に対応する一面に伸縮管の軸方向に延在する溝を設け、溝が制御ユニットに対応する一端に係着部を形成する。係るねじ棒が丸い棒状を形成しており、ねじ棒に複数の掛け合い溝を設け、ねじ棒の一端が刃物セットに連動し、ねじ棒の他端がパイプシートの第１経路と、連動具の前記溝を貫き、弾性素子をパイプシートの収容空間に収容して、誘導部材と、収容空間が制御ユニットに対応する一端の表面を圧迫する。係る動作連稈の一端と制御ユニットのスイッチ部につなぎ、他端がパイプシートの第２経路と、収容空間を貫いて、連動具の第１枢接部と枢接する。係る弾性素子をパイプシートの収容空間に収容して、パイプシートと、収容空間が制御ユニットに対応する一端の表面にて弾性に圧迫する。係る動作連稈の一端を制御ユニットのスイッチ部につなぎ、他端がパイプシートの第２経路と、収容空間を貫いて、連道具の第１枢接部と枢接する。